【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
鉄イオンまたはアルミニウムイオンを溶出する溶出装置と、該溶出装置から溶出したイオンを、汚水を浄化する汚水処理部に供給する供給手段と、前記溶出装置のイオン溶出量を制御する制御手段とを備えたことを特徴とする汚水処理装置。
【請求項２】
鉄イオンまたはアルミニウムイオンを溶出する溶出装置と、汚水を浄化する汚水処理部の汚水を、溶出装置を介して汚水処理部に返送する返送手段と、前記溶出装置のイオン溶出量を制御する制御手段とを備えたことを特徴とする汚水処理装置。
【請求項３】
少なくとも陽極に鉄材またはアルミニウムを用いた少なくとも一対の電極から溶出した鉄イオンまたはアルミニウムイオンを汚水に供給し、汚水中のリンを除去する汚水処理装置であって、前記電極への印加電流を制御する制御手段とを備えたことを特徴とする汚水処理装置。
【請求項４】
少なくとも陽極に鉄材またはアルミニウムを用いた少なくとも一対の電極から溶出した鉄イオンまたはアルミニウムイオンを汚水に供給し、汚水中のリンを除去する汚水処理装置であって、前記電極から溶出する鉄イオンまたはアルミニウムイオン量を調整する調整手段と、該調整手段の出力に基づいて前記電極への印加電流を制御する制御手段とを備えたことを特徴とする汚水処理装置。
【請求項５】
少なくとも陽極に鉄材またはアルミニウムを用いた少なくとも一対の電極から溶出した鉄イオンまたはアルミニウムイオンを汚水に供給し、汚水中のリンを除去する汚水処理装置であって、汚水処理部に流入する汚水量を検知するセンサと、該センサの出力に基づいて前記電極への印加電流を制御する制御手段とを備えたことを特徴とする汚水処理装置。
【請求項６】
少なくとも陽極に鉄材またはアルミニウムを用いた複数対の電極から溶出した鉄イオンまたはアルミニウムイオンを汚水に供給し、汚水中のリンを除去する汚水処理装置であって、前記電極から溶出するイオン量を調整する調整手段と、該調整手段の出力に基づいて前記複数の電極対の中から電流を印加する電極対の数を制御する制御手段とを備えたことを特徴とする汚水処理装置。
【請求項７】
少なくとも陽極に鉄材またはアルミニウムを用いた複数対の電極から溶出した鉄イオンまたはアルミニウムイオンを汚水に供給し、汚水中のリンを除去する汚水処理装置であって、汚水処理部に流入する汚水量を検知するセンサと、該センサの出力
に基づいて前記複数の電極対の中から電流を印加する電極対の数を制御する制御手段とを備えたことを特徴とする汚水処理装置。
【請求項８】
少なくとも陽極に鉄材またはアルミニウムを用いた複数対の電極から溶出した鉄イオンまたはアルミニウムイオンを汚水に供給し、汚水中のリンを除去する汚水処理装置であって、前記電極から溶出するイオン量を調整する調整手段と、該調整手段の出力に基づいて前記複数の電極対の中から電流を印加する電極対の数を制御すると共に、所定時間毎に電流を印加する電極対を変更する制御手段を備えたことを特徴とする汚水処理装置。
【請求項９】
少なくとも陽極に鉄材またはアルミニウムを用いた複数対の電極から溶出した鉄イオンまたはアルミニウムイオンを汚水に供給し、汚水中のリンを除去する汚水処理装置であって、汚水処理部に流入する汚水量を検知するセンサと、該センサの出力に基づいて前記複数の電極対の中から電流を印加する電極対の数を制御すると共に、所定時間毎に電流を印加する電極対を変更する制御手段とを備えたことを特徴とする汚水処理装置。
【請求項１０】
電流を印加する電源装置から給電される端子を配設した溶出槽と、少なくとも陽極に鉄材またはアルミニウムを用いた一対の電極を有して溶出槽に着脱自在に装着され、溶出槽への装着によって前記端子に装着される端子を設けた電極ユニットと、汚水を浄化する汚水処理部の汚水を、前記溶出槽を介して汚水処理部に返送する返送手段とを備えたことを特徴とする汚水処理装置。
【請求項１１】
少なくとも陽極に鉄材またはアルミニウムを用いた少なくとも一対の電極から溶出した鉄イオンまたはアルミニウムイオンを汚水に供給し、汚水中のリンを除去する汚水処理装置であって、前記電極からのイオン溶出量を制御する制御手段を備えたことを特徴とする汚水処理装置。
【請求項１２】
前記溶出槽内に両極に鉄材またはアルミニウムを用いた電極を配設すると共に、電極間に所定時間毎に極性を転換する電流を印加する制御手段を備えたことを特徴とする請求項１乃至請求項１１記載の汚水処理装置。
【請求項１３】
前記電極間に所定時間毎にパルス状に印加電流が増大する電流を印加する制御手段を備えたことを特徴とする請求項１乃至請求項１１記載の汚水処理装置。
【請求項１４】
前記溶出槽内に両極に鉄材またはアルミニウムを用いた電極を配設し、電極間に所定時間毎に電極の極性が転換すると共に、パルス状に印加電流が増大する電流を印加する制御手段を備えたことを特徴とする請求項１乃至請求項１１記載の汚水処理装置。
【請求項１５】
前記溶出槽内に、電極を洗浄するばっ気装置を備えたことを特徴とする請求項１乃至請求項１１記載の汚水処理装置。
【請求項１６】
前記溶出槽内に、溶出したイオンを酸化する酸化触媒を備えたことを特徴とする請求項１乃至請求項１１記載の汚水処理装置。
【手続補正２】
【補正対象書類名】明細書
【補正対象項目名】０００９
【補正方法】変更
【補正の内容】
【０００９】
上記課題を解決するための第３の手段は、少なくとも陽極に鉄材またはアルミニウムを用いた少なくとも一対の電極から溶出した鉄イオンまたはアルミニウムイオンを汚水に供給し、汚水中のリンを除去する汚水処理装置であって、前記電極への印加電流を制御する制御手段とを備えたことを特徴とする。


【手続補正３】
【補正対象書類名】明細書
【補正対象項目名】００１０
【補正方法】変更
【補正の内容】
【００１０】
上記課題を解決するための第４の手段は、少なくとも陽極に鉄材またはアルミニウムを用いた少なくとも一対の電極から溶出した鉄イオンまたはアルミニウムイオンを汚水に供給し、汚水中のリンを除去する汚水処理装置であって、前記電極から溶出する鉄イオンまたはアルミニウムイオン量を調整する調整手段と、該調整手段の出力に基づいて前記電極への印加電流を制御する制御手段とを備えたことを特徴とする。


【手続補正４】
【補正対象書類名】明細書
【補正対象項目名】００１１
【補正方法】変更
【補正の内容】
【００１１】
本発明の第５の手段は、少なくとも陽極に鉄材またはアルミニウムを用いた少なくとも一対の電極から溶出した鉄イオンまたはアルミニウムイオンを汚水に供給し、汚水中のリンを除去する汚水処理装置であって、汚水処理部に流入する汚水量を検知するセンサと、該センサの出力に基づいて前記電極への印加電流を制御する制御手段とを備えたことを特徴とする。


【手続補正５】
【補正対象書類名】明細書
【補正対象項目名】００１２
【補正方法】変更
【補正の内容】
【００１２】
上記課題を解決するための第６の手段は、少なくとも陽極に鉄材またはアルミニウムを用いた複数対の電極から溶出した鉄イオンまたはアルミニウムイオンを汚水に供給し、汚水中のリンを除去する汚水処理装置であって、前記電極から溶出するイオン量を調整する調整手段と、該調整手段の出力に基づいて前記複数の電極対の中から電流を印加する電極対の数を制御する制御手段とを備えたことを特徴とする。


【手続補正６】
【補正対象書類名】明細書
【補正対象項目名】００１３
【補正方法】変更
【補正の内容】
【００１３】
上記課題を解決するための第７の手段は、少なくとも陽極に鉄材またはアルミニウムを用いた複数対の電極から溶出した鉄イオンまたはアルミニウムイオンを汚水に供給し、汚水中のリンを除去する汚水処理装置であって、汚水処理部に流入する汚水量を検知するセンサと、該センサの出力に基づいて前記複数の電極対の中から電流を印加する電極対の数を制御する制御手段とを備えたことを特徴とする。


【手続補正７】
【補正対象書類名】明細書
【補正対象項目名】００１４
【補正方法】変更
【補正の内容】
【００１４】
上記課題を解決するための第８の手段は、少なくとも陽極に鉄材またはアルミニウムを用いた複数対の電極から溶出した鉄イオンまたはアルミニウムイオンを汚水に供給し、汚水中のリンを除去する汚水処理装置であって、前記電極から溶出するイオン量を調整する調整手段と、該調整手段の出力に基づいて前記複数の電極対の中から電流を印加する電極
対の数を制御すると共に、所定時間毎に電流を印加する電極対を変更する制御手段を備えたことを特徴とする。


【手続補正８】
【補正対象書類名】明細書
【補正対象項目名】００１５
【補正方法】変更
【補正の内容】
【００１５】
上記課題を解決するための第９の手段は、少なくとも陽極に鉄材またはアルミニウムを用いた複数対の電極から溶出した鉄イオンまたはアルミニウムイオンを汚水に供給し、汚水中のリンを除去する汚水処理装置であって、汚水処理部に流入する汚水量を検知するセンサと、該センサの出力に基づいて前記複数の電極対の中から電流を印加する電極対の数を制御すると共に、所定時間毎に電流を印加する電極対を変更する制御手段とを備えたことを特徴とする。


【手続補正９】
【補正対象書類名】明細書
【補正対象項目名】００１６
【補正方法】変更
【補正の内容】
【００１６】
上記課題を解決するための第１０の手段は、電流を印加する電源装置から給電される端子を配設した溶出槽と、少なくとも陽極に鉄材またはアルミニウムを用いた一対の電極を有して溶出槽に着脱自在に装着され、溶出槽への装着によって前記端子に装着される端子を設けた電極ユニットと、汚水を浄化する汚水処理部の汚水を、前記溶出槽を介して汚水処理部に返送する返送手段とを備えたことを特徴とする。
上記課題を解決するための第１１の手段は、少なくとも陽極に鉄材またはアルミニウムを用いた少なくとも一対の電極から溶出した鉄イオンまたはアルミニウムイオンを汚水に供給し、汚水中のリンを除去する汚水処理装置であって、前記電極からのイオン溶出量を制御する制御手段を備えたことを特徴とする。
【手続補正１０】
【補正対象書類名】明細書
【補正対象項目名】００１７
【補正方法】変更
【補正の内容】
【００１７】
上記第１の手段乃至第１１の手段において、溶出槽内に両極に鉄材またはアルミニウムを用いた電極を配設すると共に、電極間に所定時間毎に極性を転換する電流を印加する制御手段を備えることが好ましい。


【手続補正１１】
【補正対象書類名】明細書
【補正対象項目名】００１８
【補正方法】変更
【補正の内容】
【００１８】
上記第１の手段乃至第１１の手段において、前記電極間に所定時間毎にパルス状に印加電流が増大する電流を印加する制御手段を備えることが好ましい。


【手続補正１２】
【補正対象書類名】明細書
【補正対象項目名】００１９
【補正方法】変更
【補正の内容】
【００１９】
上記第１の手段乃至第１１の手段において、前記溶出槽内に両極に鉄材またはアルミニウムを用いた電極を配設し、電極間に所定時間毎に電極の極性が転換すると共に、パルス状に印加電流が増大する電流を印加する制御手段を備えることが好ましい。


【手続補正１３】
【補正対象書類名】明細書
【補正対象項目名】００２０
【補正方法】変更
【補正の内容】
【００２０】
上記第１の手段乃至第１１の手段は、前記溶出槽内に、電極を洗浄するばっ気装置を備えることが好ましい。


【手続補正１４】
【補正対象書類名】明細書
【補正対象項目名】００２１
【補正方法】変更
【補正の内容】
【００２１】
上記第１の手段乃至第１１の手段において、前記溶出槽内に、溶出したイオンを酸化する酸化触媒を備えることが好ましい。


【手続補正１５】
【補正対象書類名】明細書
【補正対象項目名】００９５
【補正方法】変更
【補正の内容】
【００９５】
本発明の請求項３の構成によると、電極に印加する電流を制御することによりイオン溶出量を制御し、溶出したイオンにより汚水中のリンを除去するので、脱リン性能を向上させることができる。また、汚泥の引き抜き回数を減少させることができると共に、消費電力を減少させることができる等の効果を奏する。


【手続補正１６】
【補正対象書類名】明細書
【補正対象項目名】００９６
【補正方法】変更
【補正の内容】
【００９６】
本発明の請求項４の構成によると、調整手段の出力に基づいて電極に印加する電流値を制御することによりイオン溶出量を制御し、汚水中のリンを除去するので、脱リン効率を向上することができる。また、汚泥の引き抜き回数を減少させることができると共に、消費電力を減少させることができる等の効果を奏する。


【手続補正１７】
【補正対象書類名】明細書
【補正対象項目名】００９７
【補正方法】変更
【補正の内容】
【００９７】
本発明の請求項５の構成によると、センサの出力に基づいて電極に印加する電流値を制御することによりイオン溶出量を制御し、汚水中のリンを除去するので、脱リン効率を向上することができる。また、汚泥の引き抜き回数を減少させることができると共に、消費
電力を減少させることができる等の効果を奏する。


【手続補正１８】
【補正対象書類名】明細書
【補正対象項目名】００９８
【補正方法】変更
【補正の内容】
【００９８】
本発明の請求項６の構成によると、調整手段の出力に基づいて電流を印加する電極対の数を制御することによりイオン溶出量を制御し、汚水中のリンを除去するので、脱リン効率を向上することができる。また、汚泥の引き抜き回数を減少させることができると共に、消費電力を減少させることができる等の効果を奏する。


【手続補正１９】
【補正対象書類名】明細書
【補正対象項目名】００９９
【補正方法】変更
【補正の内容】
【００９９】
本発明の請求項７の構成によると、センサの出力に基づいて電流を印加する電極対の数を制御することによりイオン溶出量を制御し、汚水中のリンを除去するので、脱リン効率を向上することができる。また、汚泥の引き抜き回数を減少させることができると共に、消費電力を減少させることができる等の効果を奏する。


【手続補正２０】
【補正対象書類名】明細書
【補正対象項目名】０１００
【補正方法】変更
【補正の内容】
【０１００】
本発明の請求項８の構成によると、調整手段の出力に基づいて電流を印加する電極対の数を制御すると共に、所定時間毎に電流を印加する電極対を変更することによりイオン溶出量を制御し、汚水中のリンを除去するので、脱リン効率を向上することができる。また、汚泥の引き抜き回数を減少させることができると共に、消費電力を減少させることができる。さらに、各電極が略均一に減少するので、各電極を同時交換することができ、メンテナンスを容易にすることができる等の効果を奏する。


【手続補正２１】
【補正対象書類名】明細書
【補正対象項目名】０１０１
【補正方法】変更
【補正の内容】
【０１０１】
本発明の請求項９の構成によると、センサの出力に基づいて電流を印加する電極対の数を制御すると共に、所定時間毎に電流を印加する電極対を変更することによりイオン溶出量を制御し、汚水中のリンを除去するので、脱リン効率を向上することができる。また、汚泥の引き抜き回数を減少させることができると共に、消費電力を減少させることができる。さらに、各電極が略均一に減少するので、各電極を同時交換することができ、メンテナンスを容易にすることができる等の効果を奏する。


【手続補正２２】
【補正対象書類名】明細書
【補正対象項目名】０１０２
【補正方法】変更
【補正の内容】
【０１０２】
本発明の請求項１０の構成によると、溶出槽に装着する電極ユニット数によりイオン溶出量を制御し、溶出したイオンは返送手段により供給される汚水と共に、汚水処理部に供給されるので、返送路および汚水処理部でリン除去することができ、脱リン効率を向上することができる。また、汚泥の引き抜き回数を減少させることができると共に、消費電力を減少させることができる。
本発明の請求項１１の構成によると、制御手段によりイオン溶出量を制御し、汚水中のリンを除去しているので、脱リン効率を向上することができる。また、汚泥の引き抜き回数を減少させることができると共に、消費電力を減少させることができる等の効果を奏する。